(57)【要約】【課題】本発明に係る直交変調器は、キャリアリーク成分を抑圧するために、送信する直交変調信号に含まれている動作周波数ｆｓｙｍ成分を正確に検出することを目的とする。【解決手段】本発明に係る直交変調器は、ベースバンドディジタル信号を直交変調信号として出力する直交変調器において、検波用の復調回路２１に入力する正弦波変調信号を、送信用のベースバンドディジタル信号と同じ動作周波数のベースバンドディジタル正弦波出力回路３２で発生させ、当該２系統のディジタル信号をアナログ化した後にベースバンドと共通の局部発振器３１からの搬送波を直交変調して発生させることを特徴とする。【選択図】図１
2008135878.tif 000002
【特許請求の範囲】
【請求項１】
同一速度の２系統のベースバンドディジタル信号を出力するベースバンドディジタル出力回路と、
前記ベースバンドディジタル出力回路の出力する前記２系統のベースバンドディジタル信号を誤差調整する誤差調整回路と、
前記誤差調整回路からの前記誤差調整された２系統のベースバンドディジタル信号をアナログ信号に変換してアナログベースバンド信号として出力する第一Ｄ／Ａ変換回路と、
所定周波数の搬送波を前記第一Ｄ／Ａ変換回路からの前記アナログベースバンド信号で直交変調して直交変調信号として出力する第一直交変調回路と、
前記ベースバンドディジタル出力回路と同じ動作周波数で動作し、直交する２つのディジタル正弦波信号を出力するベースバンドディジタル正弦波出力回路と、
前記ベースバンドディジタル正弦波出力回路からの前記２つのディジタル正弦波信号をアナログ信号に変換して２つのアナログ正弦波信号として出力する第二Ｄ／Ａ変換回路と、
前記所定周波数の搬送波を前記第二Ｄ／Ａ変換回路からの前記２つのアナログ正弦波信号で直交変調して正弦波変調信号として出力する第二直交変調回路と、
前記第一直交変調回路からの前記直交変調信号の一部と前記第二直交変調回路からの前記正弦波変調信号とをミキシングし、前記ベースバンドディジタル出力回路と同じ動作周波数の中間周波数の成分を抽出して中間アナログ信号として出力する復調回路と、
前記復調回路からの前記中間アナログ信号をディジタル信号に変換して中間ディジタル信号として出力するＡ／Ｄ変換回路と、
前記Ａ／Ｄ変換回路からの前記中間ディジタル信号を直交検波して２系統の復調ディジタル信号として出力する直交検波回路と、
前記直交検波回路からの前記２系統の復調ディジタル信号に含まれる誤差を検出し、検出した前記誤差を基に前記誤差調整回路に誤差調整させる誤差検出回路と、
を備える直交変調器。
【請求項２】
前記ベースバンドディジタル正弦波出力回路からの前記直交する２つのディジタル正弦波信号を分岐し、レベル及び位相を調整して前記ベースバンドディジタル出力回路からの前記２系統のベースバンドディジタル信号にそれぞれディジタル加算するディジタル信号調整回路をさらに備えることを特徴とする請求項１に記載の直交変調器。
【請求項３】
前記第一直交変調回路からの前記直交変調信号の中から前記所定周波数と前記ベースバンドディジタル出力回路の動作周波数の和に相当する成分を復調検波して、信号に含まれる２つの正弦波信号成分が最小になるように前記ディジタル信号調整回路を制御するディジタル信号制御回路をさらに備えることを特徴とする請求項２に記載の直交変調器。
【請求項４】
前記直交検波回路と前記誤差検出回路との間に、前記直交検波回路からの前記２系統の復調ディジタル信号の位相をそれぞれ調整して前記誤差検出回路に出力する位相調整回路をさらに備えることを特徴とする請求項１から３のいずれかに記載の直交変調器。
【請求項５】
前記誤差検出回路は、前記直交検波回路からの前記２系統の復調ディジタル信号のそれぞれの直流オフセット、前記２系統の復調ディジタル信号の直交誤差、又は前記２系統の復調ディジタル信号のレベルアンバランスのいずれかを検出し、
前記誤差調整回路は、前記誤差検出回路の検出に応じて前記直流オフセット、前記直交誤差、又は前記レベルアンバランスが最小になるように前記ベースバンドディジタル信号を調整することを特徴とする請求項１から４のいずれかに記載の直交変調器。
【発明の詳細な説明】
【技術分野】
【０００１】
本発明は、直交する２系統のディジタル信号をアナログ信号に変換する直交変調器に係る。
【背景技術】
【０００２】
直交変調器の２系統のＩチャネルとＱチャネルのディジタル信号をアナログ信号に変換する際の直流オフセットにより生じるキャリアリークを抑圧する技術が公開されている（例えば、特許文献１−４参照。）。図４は、キャリアリークを抑圧する従来の直交変調器の一例を示す構成図である。図４に示す直交変調器は、送信装置の送信する周波数ｆｃの直交変調信号の一部を、ミキサー７３によって周波数（ｆｃ＋ｆｓｙｍ）で復調して直交変調信号に含まれる周波数ｆｓｙｍの中間周波数成分を取り込む。そして、Ａ／Ｄ変換器７６によりディジタル信号に変換して、ディジタル直交検波器８０によって周波数ｆｓｙｍ成分をディジタル直交検波器８０にて検波する。ディジタル直交検波を行うことで、直流オフセット、ゲインのアンバランス、及び、直交誤差を、Ｉチャネル及びＱチャネルのそれぞれについて検出する。そして、ベースバンド信号を補正することでキャリアリークを抑圧する。
【０００３】
しかし、検波用のミキサー７３に入力する周波数（ｆｃ＋ｆｓｙｍ）を生成するＰＬＬ（Ｐｈａｓｅ  Ｌｏｃｋｅｄ  Ｌｏｏｐ）８５−２、が、周波数ｆｃを生成するＰＬＬ８５−１と独立して設けられていた。また、ＰＬＬ８５−１用の発振器６０−１と、ＰＬＬ８５−２用の発振器６０−２がそれぞれ独立して設けられていた。
【特許文献１】特開平９−３２１８１５号公報
【特許文献２】特開平１１−８８４５４号公報
【特許文献３】特開２００１−７８６９号公報
【特許文献４】特開平１１−２８４６７５号公報
【発明の開示】
【発明が解決しようとする課題】
【０００４】
図４に示すＰＬＬの構成では、キャリアリークを検波するためのＰＬＬ８５−２及び発振器６０−２が独立して設けられていたので、送信する直交変調信号に含まれている周波数ｆｃ及び動作周波ｆｓｙｍと、ミキサー７３に入力される周波数ｆｃ及び動作周波数ｆｓｙｍとが完全に一致していなかった。このため、送信用の直交変調信号に含まれている動作周波数ｆｓｙｍ成分が正確に検出できていなかった。
【０００５】
そこで、本発明に係る直交変調器は、送信用の直交変調信号のキャリアリークを抑圧するために、送信する直交変調信号に含まれている動作周波数ｆｓｙｍ成分を正確に検出することを目的とする。
【課題を解決するための手段】
【０００６】
上記目的を達成するために、本発明に係る直交変調器は、ベースバンドディジタル信号を直交変調信号として出力する直交変調器において、検波用のミキサーに入力する変調波を、送信用の直交変調信号と共通の環境にて発生させることを特徴とする。
【０００７】
具体的には、本発明に係る直交変調器は、同一速度の２系統のベースバンドディジタル信号を出力するベースバンドディジタル出力回路と、前記ベースバンドディジタル出力回路の出力する前記２系統のベースバンドディジタル信号を誤差調整する誤差調整回路と、前記誤差調整回路からの前記誤差調整された２系統のベースバンドディジタル信号をアナログ信号に変換してアナログベースバンド信号として出力する第一Ｄ／Ａ変換回路と、所定周波数の搬送波を前記第一Ｄ／Ａ変換回路からの前記アナログベースバンド信号で直交変調して直交変調信号として出力する第一直交変調回路と、前記ベースバンドディジタル出力回路と同じ動作周波数で動作し、直交する２つのディジタル正弦波信号を出力するベースバンドディジタル正弦波出力回路と、前記ベースバンドディジタル正弦波出力回路からの前記２つのディジタル正弦波信号をアナログ信号に変換して２つのアナログ正弦波信号として出力する第二Ｄ／Ａ変換回路と、前記所定周波数の搬送波を前記第二Ｄ／Ａ変換回路からの前記２つのアナログ正弦波信号で直交変調して正弦波変調信号として出力する第二直交変調回路と、前記第一直交変調回路からの前記直交変調信号の一部と前記第二直交変調回路からの前記正弦波変調信号とをミキシングし、前記ベースバンドディジタル出力回路と同じ動作周波数の中間周波数の成分を抽出して中間アナログ信号として出力する復調回路と、前記復調回路からの前記中間アナログ信号をディジタル信号に変換して中間ディジタル信号として出力するＡ／Ｄ変換回路と、前記Ａ／Ｄ変換回路からの前記中間ディジタル信号を直交検波して２系統の復調ディジタル信号として出力する直交検波回路と、前記直交検波回路からの前記２系統の復調ディジタル信号に含まれる誤差を検出し、検出した前記誤差を基に前記誤差調整回路に誤差調整させる誤差検出回路と、を備えることを特徴とする。
【０００８】
正弦波変調信号は、ベースバンドと同じ動作周波数のベースバンドディジタル正弦波出力回路によって発生される。さらに、当該２系統のディジタル信号をアナログ化したアナログ正弦波信号で、ベースバンドと共通の局部発振器からの搬送波を直交変調して正弦波変調信号を発生させる。直交変調信号から動作周波数ｆｓｙｍの中間周波数の成分を正確に復調することができるので、送信する直交変調信号に含まれている動作周波数ｆｓｙｍ成分を正確に検出することができる。
【０００９】
本発明に係る直交変調器では、ベースバンドディジタル正弦波出力回路からの直交する２つのディジタル正弦波信号を分岐し、レベル及び位相を調整してベースバンドディジタル出力回路からの２系統のベースバンドディジタル信号にそれぞれディジタル加算するディジタル信号調整回路をさらに備えることが好ましい。ディジタル信号調整回路が、ベースバンドディジタル信号のＩチャネルとＱチャネルの信号レベルを調整するので、直交変調信号のＩチャネルとＱチャネルのレベルのアンバランスを補正することができる。又、ディジタル信号調整回路が、ベースバンドディジタル信号のＩチャネルとＱチャネルの位相を調整するので、直交変調信号のＩチャネルとＱチャネルの直交誤差を補正することができる。
【００１０】
本発明に係る直交変調器では、さらに備えるディジタル信号制御回路によって、第一直交変調回路からの直交変調信号の中に含まれる搬送波の所定周波数ｆｃとベースバンドディジタル出力回路の動作周波数ｆｓｙｍとの和に相当する周波数成分（ｆｃ＋ｆｓｙｍ）に含まれる２つの正弦波信号成分を最小にすることが好ましい。第一直交変調回路からの直交変調信号の中に含まれる周波数成分（ｆｃ＋ｆｓｙｍ）のスプリアスを最小に抑制することができる。
【００１１】
本発明に係る直交変調器では、さらに備える位相調整回路によって、直交検波回路の検波した２系統の復調ディジタル信号の位相差を調整することが好ましい。ベースバンドディジタル出力回路とベースバンドディジタル正弦波出力回路とは、同じ動作周波数ｆｓｙｍで動作する。また、第一直交変調回路と第二直交変調回路とは、同じ所定周波数ｆｃで直交変調する。このため周波数を調整する必要がない。よって、位相調整回路がＩチャネルとＱチャネルの２系統の復調ディジタル信号の位相差を調整することで、誤差検出回路は、２系統のベースバンドディジタル信号間の誤差を正確に検出することができる。
【００１２】
本発明に係る直交変調器では、誤差検出回路が２系統の復調ディジタル信号のそれぞれの直流オフセットを検出し、誤差調整回路が２系統の復調ディジタル信号のそれぞれの直流オフセットが最小になるようにベースバンドディジタル信号を調整することが好ましい。直交検波回路がベースバンドディジタル信号のＩチャネル及びＱチャネルのそれぞれを正確に検出するので、誤差検出回路がベースバンドディジタル信号のＩチャネル及びＱチャネルの直流オフセットを正確に検出することができる。誤差調整回路は、正確な直流オフセットの検出結果に基づいて、ベースバンドディジタル信号のＩチャネル及びＱチャネルの直流オフセットを最小にすることができる。
【００１３】
また、本発明に係る直交変調器では、誤差検出回路が２系統の復調ディジタル信号の直交誤差を検出し、２系統の復調ディジタル信号の直交誤差が最小になるようにベースバンドディジタル信号を調整することが好ましい。直交検波回路がベースバンドディジタル信号のＩチャネル及びＱチャネルのそれぞれを正確に検出するので、誤差検出回路がベースバンドディジタル信号のＩチャネル及びＱチャネルの直交誤差を正確に検出することができる。誤差調整回路は、正確な直交誤差の検出結果に基づいて、ベースバンドディジタル信号のＩチャネル及びＱチャネルの直交誤差を最小にすることができる。
【００１４】
また、本発明に係る直交変調器では、誤差検出回路が２系統の復調ディジタル信号のレベルアンバランスを検出し、２系統の復調ディジタル信号のレベルアンバランスが最小になるようにベースバンドディジタル信号を調整することが好ましい。直交検波回路がベースバンドディジタル信号のＩチャネル及びＱチャネルのそれぞれを正確に検出するので、誤差検出回路がベースバンドディジタル信号のＩチャネル及びＱチャネルのレベルアンバランスを正確に検出することができる。誤差調整回路は、正確なレベルアンバランスの検出結果に基づいて、ベースバンドディジタル信号のＩチャネル及びＱチャネルのレベルアンバランスを最小にすることができる。
【発明の効果】
【００１５】
本発明によれば、送信する直交変調信号に含まれている動作周波数ｆｓｙｍの中間周波数の成分を正確に復調することができるので、動作周波数ｆｓｙｍ成分を正確に検出することができる。
【発明を実施するための最良の形態】
【００１６】
添付の図面を参照して本発明の実施の形態を説明する。以下に説明する実施の形態は本発明の構成の例であり、本発明は、以下の実施の形態に制限されるものではない。図１は、本実施形態に係る直交変調器の構成図である。本実施形態に係る直交変調器は、送信する情報をのせたベースバンドディジタル信号が入力される入力端子１１と、入力端子１１からのベースバンドディジタル信号を２系統にマッピングして同一速度の２系統のベースバンドディジタル信号を出力するベースバンドディジタル出力回路１２と、ベースバンドディジタル出力回路１２の出力する２系統のベースバンドディジタル信号を誤差調整する誤差調整回路１４と、誤差調整回路１４からの誤差調整された２系統のベースバンドディジタル信号をアナログ信号に変換してアナログベースバンド信号として出力する第一Ｄ／Ａ変換回路１５と、所定周波数ｆｃの搬送波を発振する局部発振器３１と、局部発振器３１からの所定周波数ｆｃの搬送波を第一Ｄ／Ａ変換回路１５からのアナログベースバンド信号で直交変調して直交変調信号として出力する第一直交変調回路１６と、第一直交変調回路１６の出力する直交変調信号を出力する出力端子１７と、を備える。
【００１７】
さらに、本実施形態に係る直交変調器は、ベースバンドディジタル出力回路と１２と同じ動作周波数ｆｓｙｍで動作し、直交する２つのディジタル正弦波信号を出力するベースバンドディジタル正弦波出力回路３２と、ベースバンドディジタル正弦波出力回路３２からの２つのディジタル正弦波信号をアナログ信号に変換して２つのアナログ正弦波信号として出力する第二Ｄ／Ａ変換回路３３と、所定周波数ｆｃの搬送波を第二Ｄ／Ａ変換回路３３からの２つのアナログ正弦波信号で直交変調して正弦波変調信号として出力する第二直交変調回路３４と、を備える。
【００１８】
さらに、本実施形態に係る直交変調器は、第一直交変調回路１６からの直交変調信号の一部と第二直交変調回路３４からの正弦波変調信号とをミキシングし、ベースバンドディジタル出力回路１２と同じ動作周波数ｆｓｙｍの中間周波数の成分を抽出して中間アナログ信号として出力する復調回路２１と、復調回路２１からの中間アナログ信号をディジタル信号に変換して中間ディジタル信号として出力するＡ／Ｄ変換回路２２と、Ａ／Ｄ変換回路２２からの中間ディジタル信号を直交検波して２系統の復調ディジタル信号として出力する直交検波回路２３と、直交検波回路２３からの２系統の復調ディジタル信号に含まれる誤差を検出し、検出した誤差を基に誤差調整回路１４に誤差調整させる誤差検出回路２５と、を備える。
【００１９】
本実施形態では、直交検波回路２３と誤差検出回路２５との間に、直交検波回路２３からの２系統の復調ディジタル信号の位相をそれぞれ調整して誤差検出回路２５に出力する位相調整回路２４と、ベースバンドディジタル正弦波出力回路３２からの直交する２つのディジタル正弦波信号を分岐し、レベル及び位相を調整して２系統のベースバンドディジタル出力回路１２からの２系統のベースバンドディジタル信号に加算器１３にてそれぞれディジタル加算するディジタル信号調整回路３５と、第一直交変調回路１６からの直交変調信号の中から所定周波数ｆｃとベースバンドディジタル出力回路１２の動作周波数ｆｓｙｍの和に相当する周波数成分（ｆｃ＋ｆｓｙｍ）を復調検波して、信号に含まれる２つの正弦波信号成分（ｆｃ＋ｆｓｙｍ）が最小になるようにディジタル信号調整回路３５を制御するディジタル信号制御回路３６と、をさらに備えることが好ましい。
【００２０】
図２は、本実施形態に係る直交変調器の具体例の第１形態を示す構成図である。図２に示す直交変調器は、送信する情報をのせたベースバンドディジタル信号が入力される入力端子５０と、入力端子５０に入力されたベースバンドディジタル信号を、直交する２系統のＩチャネルとＱチャネルのベースバンドディジタル信号にマッピングするマッピング回路５１と、マッピング回路５１からの２系統それぞれのベースバンドディジタル信号をフィルタリングするロールオフフィルタ（ＲＯＦ）５２Ｉ、５２Ｑと、ＲＯＦ５２Ｉ、５２Ｑからの２系統それぞれのベースバンドディジタル信号をゲイン調整するゲイン調整回路５３Ｉ、５３Ｑと、ゲイン調整回路５３Ｉ、５３Ｑからの２系統それぞれのベースバンドディジタル信号の直交誤差を補正する直交誤差補正回路５４と、直交誤差補正回路５４からの２系統それぞれのベースバンドディジタル信号の直流オフセットを調整する直流オフセット５５Ｉ、５５Ｑと、直流オフセット５５Ｉ、５５Ｑからの２系統それぞれのベースバンドディジタル信号をアナログ信号に変換するＤ／Ａ変換回路５６Ｉ、５６Ｑと、Ｄ／Ａ変換回路５６Ｉ、５６Ｑからのそれぞれのベースバンドアナログ信号の高周波ノイズを除去するローパスフィルタ（ＬＰＦ）５７Ｉ、５７Ｑと、局部発振器６０と、局部発振器６０からの搬送波を２系統に分岐し、２系統の搬送波が直交するように位相差を整える９０°位相差分波器５９と、９０°位相差分波器５９からの所定周波数の搬送波を、ＬＰＦ５７Ｉ、５７Ｑからの２系統それぞれのベースバンドアナログ信号で直交変調するミキサー５８Ｉ、５８Ｑと、ミキサー５８Ｉ及びミキサー５８Ｑからの直交変調信号を合波する加算器６１と、加算器６１からの直交変調信号を増幅する増幅器６２と、増幅器６２の出力する直交変調信号を出力する出力端子６３と、を備える。
【００２１】
さらに、図２に示す直交変調器は、直交する２系統のＩチャネルとＱチャネルのディジタル正弦波信号を動作周波数ｆｓｙｍで発生させるディジタル変調回路６４と、ディジタル変調回路６４からの２系統それぞれのディジタル正弦波信号の直交誤差を補正する直交誤差補正器６５と、直交誤差補正器６５からの２系統それぞれのディジタル正弦波信号の直流オフセットを調整する直流オフセット６６Ｉ、６６Ｑと、直流オフセット６６Ｉ、６６Ｑからの２系統それぞれのディジタル正弦波信号をアナログ正弦波信号に変換するＤ／Ａ変換器６７Ｉ、６７Ｑと、Ｄ／Ａ変換器６７Ｉ、６７Ｑからの２系統それぞれのアナログ正弦波信号の高周波ノイズを除去するＬＰＦ６８Ｉ、６８Ｑと、局部発振器６０からの搬送波を２系統に分岐し、２系統の搬送波が直交するように位相差を整える９０°位相差分波器７０と、９０°位相差分波器７０からの所定周波数の搬送波を、ＬＰＦ６８Ｉ、６８Ｑからの２系統それぞれのアナログ正弦波信号で直交変調するミキサー６９Ｉ、６９Ｑと、ミキサー６９Ｉ及びミキサー６９Ｑからのアナログ正弦波信号を合波する加算器７１と、加算器７１からのアナログ正弦波信号を増幅する増幅器７２と、出力端子６３の出力する直交変調信号の一部を増幅器７２からのアナログ正弦波信号で復調して中間周波数成分を抽出するミキサー７３と、を備える。
【００２２】
さらに、図２に示す直交変調器は、ミキサー７３の抽出した中間アナログ信号をＬＰＦ７９からの出力値に応じて出力値が一定になるように負帰還増幅する低周波用増幅器７４と、低周波用増幅器７４の増幅した中間アナログ信号の高周波ノイズを除去するＬＰＦ７５と、ＬＰＦ７５からの中間アナログ信号を中間ディジタル信号に変換するＡ／Ｄ変換器７６と、Ａ／Ｄ変換器７６からの中間ディジタル信号の信号レベルを抽出する電力抽出器７７と、電力抽出器７７の抽出した信号レベルの信号をアナログ信号に変換するＤ／Ａ変換器７８と、Ｄ／Ａ変換器７８からのアナログ信号の高周波ノイズを除去するＬＰＦ７９と、Ａ／Ｄ変換器７６からの中間ディジタル信号からＩチャネルとＱチャネルの２系統の復調ディジタル信号を検波するディジタル直交検波器８０と、ディジタル直交検波器８０の検波する２系統それぞれの復調ディジタル信号を位相制御する位相制御器８１と、位相制御器８１からの２系統それぞれの復調ディジタル信号の直流オフセットを調整する直流オフセット８２Ｉ、８２Ｑと、位相制御器８１からの２系統の復調ディジタル信号の位相差を検出する直交位相検出器８３と、位相制御器８１からの２系統の復調ディジタル信号のレベルのアンバランスを検出するＩＱレベルアンバランス検出器８４と、を備える。
【００２３】
図２に示す構成は、図１に示す構成と対応している。例えば、入力端子５０は入力端子１１と、マッピング回路５１はベースバンドディジタル出力回路１２と、直交誤差補正回路５４は誤差調整回路１４と、Ｄ／Ａ変換回路５６Ｉ、５６Ｑは第一Ｄ／Ａ変換回路１５と、ミキサー５８Ｉ及びミキサー５８Ｑは第一直交変調回路１６と、出力端子６３は出力端子１７と、局部発振器６０は局部発振器３１と、ディジタル変調回路６４はベースバンドディジタル正弦波出力回路３２と、Ｄ／Ａ変換器６７Ｉ、６７Ｑは第二Ｄ／Ａ変換回路３３と、ミキサー６９Ｉ及びミキサー６９Ｑは第二直交変調回路３４と、ミキサー７３は復調回路２１と、Ａ／Ｄ変換器７６はＡ／Ｄ変換回路２２と、ディジタル直交検波器８０は直交検波回路２３と、ＩＱレベルアンバランス検出器８４は誤差検出回路２５と、対応している。
【００２４】
図１及び図２において、破線はディジタル信号処理を行う部分を示す。例えば、図１では、ベースバンドディジタル出力回路１２と、加算器１３と、誤差調整回路１４と、ベースバンドディジタル正弦波出力回路３２と、ディジタル信号調整回路３５と、ディジタル信号制御回路３６と、直交検波回路２３と、位相調整回路２４と、誤差検出回路２５と、がディジタル信号処理を行う。図２では、マッピング回路５１と、ロールオフフィルタ（ＲＯＦ）５２Ｉ、５２Ｑと、ゲイン調整回路５３Ｉ、５３Ｑと、直交誤差補正回路５４と、直流オフセット５５Ｉ、５５Ｑと、ディジタル変調回路６４と、直交誤差補正器６５と、直流オフセット６６Ｉ、６６Ｑと、電力抽出器７７と、ディジタル直交検波器８０と、位相制御器８１と、直流オフセット８２Ｉ、８２Ｑと、直交位相検出器８３と、ＩＱレベルアンバランス検出器８４と、はディジタル信号処理を行う。ディジタル信号処理を行う各回路は、共通のシステムクロックにて動作している。本実施形態では、システムクロックの周波数を動作周波数ｆｓｙｍとして説明する。
【００２５】
図１に記載する入力端子１１と、ベースバンドディジタル出力回路１２と、誤差調整回路１４と、第一Ｄ／Ａ変換回路１５と、第一直交変調回路１６と、出力端子１７と、局部発振器３１と、は図４に示す従来の構成と同様であるので説明は省略する。
【００２６】
ベースバンドディジタル正弦波出力回路３２は、ベースバンドディジタル出力回路１２と同じ動作周波数ｆｓｙｍで動作し、直交する２つのディジタル正弦波信号を出力する。ベースバンドディジタル正弦波出力回路３２は、正弦波及び余弦波のアナログ周波数波形をＰＣＭ（Ｐｕｌｓｅ  Ｃｏｄｅ  Ｍｏｄｕｌａｔｉｏｎ）変調しておいたテーブルを繰り返し読み出して動作周波数ｆｓｙｍのＩチャネルとＱチャネルのディジタル正弦波信号を出力する。これにより、ベースバンドディジタル出力回路１２の出力するベースディジタル信号と同一の動作周波数ｆｓｙｍでありかつ同期のとれているＩチャネルとＱチャネルのディジタル正弦波信号を出力する。ここで、「同期」とは、２つの周波数同士が整数比の関係になっていることをいう。このため、ベースバンドディジタル正弦波出力回路３２は、ベースバンドディジタル出力回路１２と同一のシステムクロックによって制御されているディジタル処理回路内に搭載されていることが好ましい。
【００２７】
第二直交変調回路３４は、所定周波数ｆｃの搬送波を第二Ｄ／Ａ変換回路３３からの２つのアナログ正弦波信号で直交変調して正弦波変調信号として出力する。搬送波はアナログベースバンド信号の搬送波と共通の局部発振器３１によって発振されている。また、第二直交変調回路３４に入力されるアナログ正弦波信号の周波数は、ベースバンドディジタル出力回路１２と共通のシステムクロックの動作周波数ｆｓｙｍである。正弦波変調信号は、直交変調信号に含まれる周波数（ｆｃ＋ｆｓｙｍ）と周波数が正確に同期しており、かつ、直交変調信号と位相が同期している。
【００２８】
復調回路２１は、第一直交変調回路１６からの直交変調信号の一部と第二直交変調回路３４からの正弦波変調信号とをミキシングし、ベースバンドディジタル出力回路１２と同じ動作周波数ｆｓｙｍの中間周波数の成分を抽出して中間アナログ信号として出力する。直交変調信号の一部は、例えば方向性結合器によって分波する。正弦波変調信号は、直交変調信号に含まれる周波数ｆｃのキャリア成分と周波数が正確に同期している。このため、周波数ｆｓｙｍの成分を正確に復調することができる。周波数ｆｓｙｍの中間周波数成分を高精度で検波することで、キャリアリークを高精度で抽出することができる。よって、キャリアリークを高い精度で抑圧することができる。
【００２９】
誤差検出回路２５は、ＩチャネルとＱチャネルのそれぞれの位相を検出して、誤差調整回路１４から出力するＩチャネルとＱチャネルの位相を調整する。例えば、誤差検出回路２５は、Ｉチャネルの位相が遅れている場合にはＩチャネルの位相を早めるように誤差調整回路１４に誤差調整させる。また、Ｉチャネルの位相が早い場合にはＩチャネルの位相を遅らせるように誤差調整回路１４に誤差調整させる。
【００３０】
誤差検出回路２５は、直交検波回路２３からの２系統の復調ディジタル信号のそれぞれの直流オフセット、２系統の復調ディジタル信号の直交誤差、又は２系統の復調ディジタル信号のレベルアンバランスのいずれかを検出することが好ましい。この場合、誤差調整回路１４は、誤差検出回路２５の検出に応じて前記直流オフセット、前記直交誤差、又は前記レベルアンバランスが最小になるように前記ベースバンドディジタル信号を調整することが好ましい。当該直流オフセットを最小にすることで、キャリアリークを最小にすることができる。当該直交誤差を最小にすることで、直交変調時に生じるイメージリークを最小にすることができる。当該レベルアンバランスを最小にすることで、直交変調時に生じるイメージリークを最小にすることができる。
【００３１】
位相調整回路２４は、直交検波回路２３からのＩチャネルとＱチャネルの２系統の復調ディジタル信号の位相をそれぞれ調整する。２系統の復調ディジタル信号の周波数は、搬送波の所定周波数が共通なので、同期している。そこで、２系統の復調ディジタル信号の位相が９０°ずれるように調整することで、誤差検出回路２５は、２系統のベースバンドディジタル信号間の誤差を正確に検出することができる。
【００３２】
図３は、本実施形態に係る直交変調器の具体例の第２形態を示す構成図である。図３に示す直交変調器は、図２に示す直交変調器に、さらに、図１のディジタル信号調整回路３５に対応する位相制御器８７と、図１のディジタル信号調整回路３５に対応するレベル制御器８８と、図１の加算器１３に対応する加算器８９Ｉ、８９Ｑと、ゲイン調整回路８６Ｉ、８６Ｑと、を備える。図３では、ディジタル信号処理を行う部分のみを示し、その他の部分を省略した。
【００３３】
図１に示すディジタル信号調整回路３５は、ベースバンドディジタル正弦波出力回路３２からのＩチャネルとＱチャネルの２つのディジタル正弦波信号を分岐して、レベル及び位相を調整する。そして、加算器１３に出力し、加算器１３がディジタル信号調整回路３５からの出力をベースバンドディジタル信号に加算する。ディジタル信号調整回路３５は、位相の調整とレベルの調整が分離されていてもよい。ディジタル信号調整回路３５が、ディジタル正弦波信号のＩチャネルとＱチャネルのそれぞれのレベルと位相を調整するので、直交変調信号のＩチャネル及びＱチャネルの振幅のアンバランス並びに直交誤差によって生じるイメージリークを抑圧することができる。
【００３４】
図１に示すディジタル信号制御回路３６は、第一直交変調回路１６からの直交変調信号の中から所定周波数ｆｃとベースバンドディジタル出力回路１２の動作周波数ｆｓｙｍの和に相当する周波数成分（ｆｃ＋ｆｓｙｍ）を復調検波する。例えば、第二直交変調回路３４からの正弦波変調信号によって周波数成分（ｆｃ＋ｆｓｙｍ）を復調検波する。周波数成分（ｆｃ＋ｆｓｙｍ）に含まれているＩチャネルとＱチャネルの２つの正弦波信号成分が最小になるようにディジタル信号調整回路３５を制御する。ディジタル信号制御回路３６によって、第一直交変調回路１６からの直交変調信号の中に含まれる周波数成分（ｆｃ＋ｆｓｙｍ）を最小にするので、スプリアスを最小に抑制することができる。
【産業上の利用可能性】
【００３５】
本発明は、ＢＰＳＫ（Ｂｉｎａｒｙ  Ｐｈａｓｅ  Ｓｈｉｆｔ  Ｋｅｙｉｎｇ）方式、ＱＰＳＫ（Ｑｕａｄｒａｔｕｒｅ  Ｐｈａｓｅ  Ｓｈｉｆｔ  Ｋｅｙｉｎｇ）方式及び多値ＱＡＭ（Ｑｕａｄｒａｔｕｒｅ  Ａｍｐｌｉｔｕｄｅ  Ｍｏｄｕｌａｔｉｏｎ）方式などの直交変調方式を用いた送信装置に利用することができる。
【図面の簡単な説明】
【００３６】
【図１】本実施形態に係る直交変調器の概略構成図である。
【図２】本実施形態に係る直交変調器の具体例の第１形態を示す構成図である。
【図３】本実施形態に係る直交変調器の具体例の第２形態を示す構成図である。
【図４】キャリアリークを抑圧する従来の直交変調器の一例を示す構成図である。
【符号の説明】
【００３７】
１１  入力端子
１２  ベースバンドディジタル出力回路
１３  加算器
１４  誤差調整回路
１５  第一Ｄ／Ａ変換回路
１６  第一直交変調回路
１７  出力端子
２１  復調回路
２２  Ａ／Ｄ変換回路
２３  直交検波回路
２４  位相調整回路
２５  誤差検出回路
３１  局部発振器
３２  ベースバンドディジタル正弦波出力回路
３３  第二Ｄ／Ａ変換回路
３４  第二直交変調回路
３５  ディジタル信号調整回路
３６  ディジタル信号制御回路
５０  入力端子
５１マッピング回路
５２Ｉ、５２Ｑ  ロールオフフィルタ（ＲＯＦ）
５３Ｉ、５３Ｑ、８６Ｉ、８６Ｑ  ゲイン調整回路
５４  直交誤差補正回路
５５Ｉ、５５Ｑ  直流オフセット
５６Ｉ、５６Ｑ  Ｄ／Ａ変換回路
５７Ｉ、５７Ｑ、７５  ローパスフィルタ（ＬＰＦ）
５８Ｉ、５８Ｑ、６９Ｉ、６９Ｑ、７３  ミキサー
５９、７０  ９０°位相差分波器
６０  局部発振器
６１、７１  加算器
６２、７２  増幅器
６３  出力端子
６４  ディジタル変調回路
６５  直交誤差補正器
６６Ｉ、６６Ｑ、８２Ｉ、８２Ｑ  直流オフセット
６７Ｉ、６７Ｑ、７８  Ｄ／Ａ変換器
６８Ｉ、６８Ｑ、７９  ＬＰＦ
７４  低周波用増幅器
７６  Ａ／Ｄ変換器
７７  電力抽出器
８０  ディジタル直交検波器
８１  位相制御器
８３  直交位相検出器
８４  ＩＱレベルアンバランス検出器
８５−１、８５−２  ＰＬＬ
８７  位相制御器
８８  レベル制御器
８９Ｉ、８９Ｑ  加算器
【図１】
2008135878.tif 000003
【図２】
2008135878.tif 000004
【図３】
2008135878.tif 000005
【図４】
2008135878.tif 000006